(57)【要約】【課題】作業時間を大幅に短縮して効率的且つ低コストな撤去を実現し、また、撚りの発生などの既存ケーブルの布設状態に因らず、複数のケーブルを一括で引き抜いて撤去することができる複数ケーブル一括撤去工法を提供する。【解決手段】本発明の複数ケーブル一括撤去工法は、管路３から引き抜かれた３本のケーブル３０ａをガイド管４０に挿通して、俵積み形状を有するケーブル束３０ｂにする工程と、ケーブル束３０ｂの少なくとも一部をラッピングし、ケーブル束３０ｂを構成する３本のケーブル３０ａを互いに固定する工程と、複数のケーブル３０ａが互いに固定されてなるケーブル束３０ｃをキャタピラ対１２ａ，１２ａ’で把持して引き抜く工程とを有する。【選択図】図３
2016039654.tif 000002
【特許請求の範囲】
【請求項１】
管路に布設された複数のケーブルを一括で引き抜いて撤去する複数ケーブル一括撤去工法であって、
前記管路から引き抜かれた複数のケーブルを纏めてケーブル束にする工程と、
前記ケーブル束を構成する前記複数のケーブルを互いに固定する工程と、
前記複数のケーブルが互いに固定されてなるケーブル束を把持して引き抜く工程と、を有することを特徴とする複数ケーブル一括撤去工法。
【請求項２】
前記ケーブル束にする工程は、前記管路から引き抜かれた複数のケーブルをガイド部材に通してケーブル束にすることを特徴とする、請求項１記載の複数ケーブル一括撤去工法。
【請求項３】
前記ケーブル束にする工程は、前記管路から引き抜かれた複数のケーブルをガイド管に挿通することによってケーブル束にすることを特徴とする、請求項２記載の複数ケーブル一括撤去工法。
【請求項４】
前記複数のケーブルを互いに固定する工程は、前記ケーブル束の少なくとも一部をラッピングすることを特徴とする、請求項１記載の複数ケーブル一括撤去工法。
【請求項５】
前記複数のケーブルを互いに固定する工程は、前記ケーブル束の外周にテープ材を巻き付けることを特徴とする、請求項４記載の複数ケーブル一括撤去工法。
【請求項６】
前記複数のケーブルが互いに固定されてなるケーブル束を、巻取ドラムで巻き取る工程を更に有することを特徴とする、請求項１記載の複数ケーブル一括撤去工法。
【請求項７】
前記巻取ドラムで巻き取る工程は、周方向に複数の溝が形成された巻取ドラムで前記ケーブル束を巻き取ることを特徴とする、請求項６記載の複数ケーブル一括撤去工法。
【請求項８】
前記複数のケーブルは三条ケーブルであり、
前記ケーブル束にする工程は、前記三条ケーブルを、俵積み形状を有するケーブル束にすることを特徴とする、請求項１乃至３のいずれか１項に記載の複数ケーブル一括撤去工法。
【請求項９】
管路に布設された複数のケーブルを一括で引き抜いて撤去するためのケーブル巻取装置であって、
前記複数のケーブルが互いに固定されてなるケーブル束を巻き取る巻取ドラムを備え、
前記巻取ドラムの巻き取り面に、少なくとも１つの溝が周方向に沿って形成されることを特徴とするケーブル巻取装置。
【発明の詳細な説明】
【技術分野】
【０００１】
本発明は、布設されたケーブルを撤去するための撤去工法、及び該工法で使用されるケーブル巻取ドラムに関し、特に、地下管路などに敷設された複数のケーブルを同時に引き抜いて撤去する複数ケーブル一括撤去工法、及び該工法で使用されるケーブル巻取装置に関する。
【背景技術】
【０００２】
従来、地中の管路内には、発電所から目的地まで電力を供給するための電力ケーブルや通信線となる通信ケーブルが布設されている。このようなケーブルは、一又は複数の導体を被覆してなる一心又は他心の被覆電線であり、導体を樹脂等で被覆することで所望の絶縁性能を確保している。このうち電力ケーブルとしては、例えば、ＯＦケーブル（Oil-filled cable)や、ＣＶケーブル（cross-linked polyethylene insulated PVC sheathed cable)がある。ＯＦケーブルの場合、該ケーブル内に大気圧以上の圧力のオイルを流すことで絶縁性能の向上と冷却を行っているが、加圧気体を用いてケーブル内にオイルを圧送するための加圧装置が必要となるため、作業が煩雑化し、またコストアップとなることから、近年、加圧を要せずに絶縁性能を確保することができるＣＶケーブルが主流となっている。
【０００３】
地中の管路に布設された電力ケーブルや通信ケーブルは、布設環境によって様々な外的要因を受けるため、電気的劣化、化学的劣化、熱的劣化あるいは機械的劣化などが経時的に生じ、絶縁性能が確保できなくなる場合がある。そこで、布設済の既存のケーブルに対して絶縁性評価を実施し、所定の絶縁性能を確保できなくなったケーブルを引き抜いて撤去する作業を簡便に実施することが求められている。
【０００４】
管路内に布設された既存ケーブルを撤去する工法としては、例えば、管路とケーブルの隙間に線材を通線し、線材に縁切り器具の接続を行い、管路とケーブル間の固着を縁切り器具によって剥がして、その後電力ケーブルを撤去する工法が提案されている（特許文献１）。本工法では、管路に固着した電力ケーブルを引き抜く際の抵抗力を低減することでより良い引き抜き撤去を実現することが可能となっている。
【０００５】
また、他の撤去工法として、電力ケーブルを巻き取るメイン回転型治具とサブ回転型治具、油圧モータと油圧シリンダー、並びにこれらを固定するためのテーブル及び回転座を備える撤去装置を使用する工法が提案されている（特許文献２）。本工法では、撤去装置を固定したまま電力ケーブルを撤去できるため、作業スペースや人員を削減すると共に、電力ケーブルの牽引力を増大することが可能となっている。
【０００６】
更に他の撤去工法として、ケーブルが布設された管路内の全長に亘って均一に滑剤を塗布した後、管路内の一端側から高圧空気を送り込み、他端側からケーブルを引き抜く工法が提案されている（特許文献３）。本工法では、ケーブルを引き抜く際の摩擦抵抗を小さくし、小さな引抜力でケーブルを引き抜くことができるため、引き抜きの作業性を向上することが可能となっている。
【０００７】
また、更に他の撤去工法として、一の幹線ケーブルの種別及び心線の数Ｎまたは対数Ｐと、管路の内径φA に対するケーブル束の外径φBの比率（（φB ／φA ）×１００％）でなる管径比（％）とに基づいて求めた撤去張力が、一の幹線ケーブルの許容張力よりも小さいときに、該幹線ケーブルを撤去する工法が提案されている（特許文献４）。本工法によれば、一の幹線ケーブルを、その許容張力以上の張力で引っ張るという無理な引き抜きによって撤去する作業を回避することが可能となっている。
【先行技術文献】
【特許文献】
【０００８】
【特許文献１】特開２０１２−０８０６９３号公報
【特許文献２】特開２００８−１２５３４０号公報
【特許文献３】特開２０００−１３４７４４号公報
【特許文献４】特開平１１−３３２０４７号公報
【発明の概要】
【発明が解決しようとする課題】
【０００９】
しかしながら、上記従来の撤去工法で複数のケーブルを撤去する場合、管路からケーブルを１本ずつ引き抜いて撤去しなければならず、撤去作業に長時間を要する。また、撤去作業時には、撤去装置や該装置が搭載された車両等を公共の敷地や道路に設置する必要がしばしば生じるところ、公共の道路等を占有する時間に限りがあるため、ケーブル一本毎の撤去作業では、一回の占有可能時間内でケーブル撤去を完了することは困難である。
【００１０】
特に、管路に布設された複数のケーブルを撤去する場合、管路内で撚りが生じているとケーブルを撤去することができず、その結果、撤去作業自体を断念、或いは中断しなければならないといった事態が生じる。
【００１１】
また、特に上記従来の撤去工法を適用して三条のケーブルを管路から一括で引き抜くと、三条の線形が崩れ、巻取ドラムでの巻き取りが困難となる。また、三条のケーブルの線形が崩れると、巻取ドラムの下流側に設置されたキャタピラで三条のケーブルを一度に把持することが難しく、三条のケーブルを一括で引き抜く際に生じる抵抗力よりも大きい引抜力を付与することができない。
【００１２】
本発明の目的は、作業時間を大幅に短縮して効率的且つ低コストな撤去を実現し、また、撚りの発生などの既存ケーブルの布設状態に因らず、複数のケーブルを一括で引き抜いて撤去することができる複数ケーブル一括撤去工法、及び該工法で使用されるケーブル巻取装置を提供することにある。
【課題を解決するための手段】
【００１３】
上記目的を達成するために、本発明は、管路に布設された複数のケーブルを一括で引き抜いて撤去する複数ケーブル一括撤去工法であって、前記管路から引き抜かれた複数のケーブルを纏めてケーブル束にする工程と、前記ケーブル束を構成する前記複数のケーブルを互いに固定する工程と、前記複数のケーブルが互いに固定されてなるケーブル束を把持して引き抜く工程とを有することを特徴とする。
【００１４】
また、前記ケーブル束にする工程は、前記管路から引き抜かれた複数のケーブルをガイド部材に通してケーブル束にする。
【００１５】
前記ケーブル束にする工程は、前記管路から引き抜かれた複数のケーブルをガイド管に挿通することによってケーブル束にすることが好ましい。
【００１６】
また、前記複数のケーブルを互いに固定する工程は、前記ケーブル束の少なくとも一部をラッピングする。
【００１７】
前記複数のケーブルを互いに固定する工程は、前記ケーブル束の外周にテープ材を巻き付けるのが好ましい。
【００１８】
また、前記複数ケーブル一括撤去工法は、前記複数のケーブルが互いに固定されてなるケーブル束を巻取ドラムで巻き取る工程を更に有する。
【００１９】
前記巻取ドラムで巻き取る工程は、周方向に複数の溝が形成された巻取ドラムで前記ケーブル束を巻き取るのが好ましい。
【００２０】
また、前記複数のケーブルは三条ケーブルであり、前記ケーブル束にする工程は、前記三条ケーブルを、俵積み形状を有するケーブル束にすることが好ましい。
【００２１】
また上記目的を達成するために、本発明のケーブル巻取装置は、管路に布設された複数のケーブルを一括で引き抜いて撤去するためのケーブル巻取装置であって、前記複数のケーブルが互いに固定されてなるケーブル束を巻き取る巻取ドラムを備え、前記巻取ドラムの巻き取り面に、少なくとも１つの溝が周方向に沿って形成されることを特徴とする。
【発明の効果】
【００２２】
本発明によれば、管路から引き抜かれた複数のケーブルを纏めてケーブル束とし、該ケーブル束を構成する複数のケーブルを互いに固定し、複数のケーブルが固定されてなるケーブル束を把持して引き抜くので、複数のケーブルを１本ずつ撤去する場合と比較して、作業時間を大幅に短縮して効率的且つ低コストな撤去を実現することができる。また、撤去すべき複数のケーブルに撚り等が発生している場合でも、該複数のケーブルを互いに固定して一束とするため、ケーブル束の線形が崩れず、巻取ドラムで確実に巻き取ることができ、また、ケーブル束を引き抜く際に該ケーブル束を確実に把持することができる。したがって、既存ケーブルの布設状態に因らず、複数のケーブルを一括で引き抜いて撤去することが可能となる。
【００２３】
また、管路から引き抜かれた複数のケーブルをガイド管に挿通することによってケーブル束にするので、複数のケーブルを容易且つ確実にケーブル束にすることができる。
【００２４】
また、ケーブル束の外周にテープ材を巻き付けるので、ケーブル束を容易且つ強固に固定することができる。
【００２５】
更に、複数のケーブルが互いに固定されてなるケーブル束を巻取ドラムで巻き取るので、ケーブル束を把持し易くなり、必要な引抜力を付与することが可能となる。また、周方向に複数の溝が形成された巻取ドラムでケーブル束を巻き取ることにより、必要な引抜力を継続的に付与することができる。
【００２６】
特に、管路から三条のケーブルを一括して引き抜く場合、当該三条のケーブルを、俵積み形状を有するケーブル束にするので、三条のケーブルを安定する形状で維持することができ、必要な引抜力を確実に確保することができる。
【００２７】
また本発明によれば、巻取ドラムの巻き取り面に少なくとも１つの溝が周方向に沿って形成されるので、固定されたケーブル束の形状を保ちながら巻き取ると共にその向きを保った状態で下流の引抜装置に送り出すことができ、当該ケーブル束に必要な引抜力を付与することが可能となる。
【図面の簡単な説明】
【００２８】
【図１】本発明の実施形態に係る複数ケーブル一括撤去工法を説明する図である。
【図２】図１のマンホール内の状態を示す拡大断面図である。
【図３】（ａ）は、図１の実施形態において複数のケーブルをケーブル束にする工程を説明する斜視図であり、（ｂ）はケーブル束を互いに固定する工程を説明する斜視図である。
【図４】（ａ）は、図１における巻取ドラムの構成を示す側面図であり、（ｂ）は、（ａ）の巻取ドラムにケーブル束が巻き付けられた状態を示す模式図である。
【図５】図１の実施形態における引抜工程を説明する図であり、（ａ）はケーブル束がキャタピラ対に把持された状態を示す斜視図、（ｂ）は断面図である。
【発明を実施するための形態】
【００２９】
以下、本発明の実施形態を、図面を参照しながら詳細に説明する。
【００３０】
図１は、本実施形態に係る複数ケーブル一括撤去工法を説明する図である。本複数ケーブル一括撤去工法は、地中の管路内に布設された既存のケーブルを、経年劣化、送電容量アップ等の理由により新たなケーブルに取り替える際に実施される。なお、図１における車両、装置、機器若しくは装置又はこれらの寸法は、その一例を示すものであり、本発明の複数ケーブル一括撤去工法を実施するために用いられる装置等は、図１のものに限られない。
【００３１】
図１に示すように、本発明では２台の車両を準備し、地上の所定位置に縦列駐車させる。車両１０は、マンホール１の直上に配置され、ケーブル３０を巻き取ると共に後述の引抜装置に送出するケーブル巻取装置１１と、ケーブル３０に引抜力を付与する引抜装置１２とを備える。車両２０は、ケーブル３０の送出方向に関して車両１０の下流側に駐車されている。この車両２０は、車両１０から送り出されるケーブル３０を順次切断する切断装置２１と、該切断装置で切断された所定長さのケーブルを積載する積載部２２とを備える。
【００３２】
図２は、図１のマンホール１内の状態を示す拡大断面図である。地中２には、マンホール１と該マンホールに接続された管路３とが埋設されており、管路３内にはＣＶケーブル、ＯＦケーブル、ＰＯＦケーブル（Pipe-type oil filled cable）などのケーブル３０が布設されている。撤去作業の対象となるケーブルとしては、例えば、６６ｋＶ〜２７５ｋＶ、ケーブル長さ１００ｍ〜５００ｍ、ケーブル外径５８ｍｍ〜１０５ｍｍの電力ケーブルが挙げられる。マンホール１内に、管路３の近傍に配置され、管路３から引き抜かれた複数のケーブルが挿通されるガイド管４０と、該ガイド管の下流に配置され、ガイド管４０から送り出された複数のケーブルを互いに固定する固定装置５０とが配置されている。本実施形態では、一の管路内に上記ケーブルが複数本布設されている場合（多条ケーブル布設）、特に一の管路内に外径の等しい３本の電力ケーブルが布設されている場合に、三条ケーブルを一括して引き抜いて撤去する工法を例に挙げて説明する。
【００３３】
本発明の撤去工法では、先ず、管路３から引き抜かれた３本のケーブル３０ａを纏めて、俵積み形状を有するケーブル束３０ｂにする。具体的には、断面略真円のガイド管４０に３本のケーブル３０ａを挿通し、ケーブル束３０ｂにする（図３（ａ））。管路３内において、３本のケーブル３０ａの布設位置にばらつきがあると、これらのケーブルを纏めた際に収まりが悪く、また、隣接して布設されていても撚りが生じている場合がある。そこで、これら３本のケーブル３０ａが俵積みに配置されたときに３本のケーブル３０ａの挿通が内径を有するガイド管４０を準備し、該ガイド管に３本のケーブル３０ａを挿通する。これにより、管路３内で３本のケーブルの布設位置にばらつき等が生じていても、３本のケーブルがガイド管４０の内周面４０ａを当接或いは摺接しながら通ることにより、これらのケーブルが横方向に関して相互に位置決めされ、俵積み形状を有するケーブル束３０ｂが得られる。また、３本のケーブルに撚りが生じている場合でも、ガイド管４０内を通ることによって撚りが修正され、俵積み形状を得ることができる。そして、ガイド管４０の下流においても、この俵積み形状が維持される。なお、本実施形態では断面略真円のガイド管４０を用いているが、これに限らず、楕円などの他の丸型或いは三角形状であってもよい。
【００３４】
次に、ガイド管４０の下流側に配置された固定装置５０を用いてケーブル束３０ｂの少なくとも一部をラッピングし、ケーブル束３０ｂを構成する３本のケーブル３０ａを互いに固定する。具体的には、例えばテープ巻付装置を用い、後述するキャタピラ対によって連続的に引き抜かれるケーブル束３０ｂの外周にテープ材５１を巻き付けて、ケーブル束３０ｃを作製する（図３（ｂ））。テープ巻付装置では、種々の巻き付け方法を選択しうるが、例えばロール状のテープ材５１を保持するボビンをケーブル束３０ｂの周りに回転させながら当該テープ材を繰り出すことにより、テープ材５１を所定ピッチでケーブル束３０ｂの外周に巻き付けることができる。なお本工程において、図３（ｂ）に示すように、隣接するテープ材５１が離間して巻き付けられてもよいし、或いは隣接するテープ材５１に間隔を空けず、これらテープ材５１の一部が重なるように巻回されてもよい。
【００３５】
次に、固定装置５０から送り出されたケーブル束３０ｃをマンホール１内から外部に引き出す。そして、ケーブル束３０ｃをケーブル巻取装置１１に巻き付けた後、引抜装置１２に当該ケーブル束を送出する。ケーブル巻取装置１１は、図４に示すように、車両２０の荷台１３に搭載された支持台４１と、該支持台から鉛直方向に延出し、略水平方向に配置された軸部材４２を軸支する一対の枠体４３，４３と、軸部材４２に取り付けられた巻取ドラム４４とを備える。巻取ドラム４４の巻き取り面４４ａには、断面略三角形状の複数の溝４４ｂが周方向に沿って形成されており、溝４４ｂは巻き取り面４４ａの周全体に形成されている。溝４４ｂの深さは、好ましくは俵積み形状を有するケーブル束３０ｃの高さとほぼ同じになるように設計される。本実施形態ではこのようなケーブル巻取装置１１を使用し、巻取ドラム４４に形成された１つの溝にケーブル束を収容した状態で、１回或いは複数回巻き付けて、下流の引抜装置１２に送り出す。これにより、マンホール１内から引き出されたケーブル束３０ｃの向きが溝４４ｂによって規制され、巻取ドラム４４の上端位置では、ケーブル束３０ｃが逆俵積み形状（略逆三角形状）となる。このとき、ケーブル束３０ｃは、巻取ドラム４４の上端位置から略水平に引抜装置１２に向かって延出されるため（図１）、ケーブル束３０ｃの向き、すなわち逆俵積み形状が維持された状態で引抜装置１２に送り出される。
【００３６】
次いで、複数のケーブル３０ａが互いに固定されてなるケーブル束３０ｃを把持して引き抜く。具体的には、車両２０の荷台１３に搭載された引抜装置１２を使用し、図５（ａ）に示すように、対向配置されたキャタピラ対１２ａ，１２ａ’でケーブル束３０ｃを把持し、キャタピラ対１２ａ，１２ａ’をそれぞれ所定方向に回転させることで、管路３内で生じる３本のケーブル３０ａの抵抗力よりも大きい引抜力をケーブル束３０ｃに付与する。このとき、ケーブル束３０ｃはテープ材５１によって固定され、また、巻取ドラム４４に巻回されたケーブル束３０ｃが引抜装置１２に送出される。よって、ケーブル束３０ｃは、俵積み形状を維持すると共に、その向き（上側に２本、下側に１本）が保たれた状態でキャタピラ対１２ａ，１２ａ’内に把持される。ここで、キャタピラ対１２ａ，１２ａ’を所定の回転速度で引き抜き作業を行う場合、ケーブル束の形状が不均一であったりその向きが不定であると、該キャタピラとケーブル間の圧接面積にばらつきが生じ、ケーブル束に付与する引抜力の時間変動が生じる。そこで本発明では、ケーブル束３０ｃがキャタピラ対１２ａ，１２ａ’間を通る際に、上側のキャタピラ１２ａが２本のケーブルに、下側のキャタピラ１２ａ’が１本のケーブルとそれぞれ圧接し、この状態を維持しながら、キャタピラとケーブルの接触面で摩擦力を発生させる（図５（ｂ））。これにより、キャタピラ−ケーブル間で生じる摩擦力がほぼ一定となり、ケーブル束３０ｃにほぼ一定の引抜力を付与することが可能となる。
【００３７】
その後、引抜装置１２の下流に配置された切断機２１を使用して、所定の長さでケーブル束３０ｃを切断し、切断後のケーブル束３０ｃを積載部２２に積載する。この作業を所定回数繰り返した後、複数のケーブル束を車両２０で運搬し、所定の方法で廃棄処理する。
【００３８】
上述したように、本実施形態によれば、管路３から引き抜かれた３本のケーブル３０ａを纏めて俵積み形状を有するケーブル束３０ｂとし、該ケーブル束を構成する３本のケーブル３０ａをテープ材５１で互いに固定し、３本のケーブル３０ａが互いに固定されてなるケーブル束３０ｃを把持して引き抜くので、ケーブル３０ａを１本ずつ撤去する場合と比較して、作業時間を大幅に短縮して効率的且つ低コストな撤去を実現することができる。例えば、ケーブル毎に撤去する従来の工法であれば３本の既存ケーブルを撤去するのに３日間を要するが、本実施形態の工法では１日間で撤去を完了することができ、大幅な時間短縮を実現することができる。よって、撤去作業のために公共の道路等を占有する必要がある場合でも、一回の占有可能時間内でケーブル撤去を完了することが可能となる。
【００３９】
また、撤去すべき３本のケーブル３０ａに撚り等が発生している場合でも、該３本のケーブルを互いに固定して一束とするため、ケーブル束３０ｃの線形が崩れず、巻取ドラム４４で確実に巻き取ることができ、また、ケーブル束３０ｃを引き抜く際に該ケーブル束を確実に把持することができる。したがって、既存ケーブルの布設状態に因らず、３本のケーブル３０ａを一括で引き抜いて撤去することが可能となり、撤去作業を確実に完了することができる。
【００４０】
また、管路３から引き抜かれた３本のケーブル３０ａをガイド管４０に挿通することで、所定形状を有するケーブル束３０ｃにするので、３本のケーブル３０ａを容易且つ確実にケーブル束３０ｂにすることができる。
【００４１】
また、ケーブル束３０ｂの外周にテープ材５１を巻き付けるので、ケーブル束３０ｂを容易且つ強固に固定することができる。
【００４２】
また本実施形態によれば、巻取ドラム４４の巻き取り面４４ａに複数の溝４４ｂが周方向に沿って形成されるので、固定されたケーブル束３０ｃの形状を保ちながら巻き取ると共にその向きを保った状態で下流の引抜装置１２に送り出すことができ、当該ケーブル束に必要な引抜力を付与することが可能となる。
【００４３】
以上、本実施形態に係る複数ケーブル一括撤去工法について述べたが、本発明は記述の実施形態に限定されるものではなく、本発明の技術思想に基づいて各種の変形および変更が可能である。
【００４４】
例えば、上記実施形態では、外径の等しい三条ケーブルを一括して引き抜いて撤去する工法を例に挙げたが、外径の異なる三条ケーブルを一括撤去する場合にも本撤去工法を適用することができるし、また、三条ケーブルを俵積み形状以外の他の形状で成形してもよい。更に、二条、或いは四条以上のケーブルを一括して引き抜いて撤去する場合にも本撤去工法を適用することができる。また、本撤去工法を用いて撤去されるべき既存のケーブル３０ａは、１心ケーブルであってもよいし、他心ケーブルであってもよい。
【００４５】
また上記実施形態では、断面略真円のガイド管４０を用いてケーブル束３０ｂとするが、これに限らず、ガイド管は、複数のケーブルをガイドすることで所望形状のケーブル束としうる断面形状であればよい。例えば、４条ケーブルを一括撤去する場合には断面略正方形のガイド管を、５条ケーブルを一括撤去する場合には断面略正五角形のガイド管を使用することができる。また、側面視において、一端から他端に向かって縮径するラッパ状などの環状部材や、環状以外の他の形状を有するガイド部材を使用してもよい。
【００４６】
また、上記固縛工程では、ケーブル束３０ｂにテープ材５１を巻き付けるが、３本のケーブルが径方向の圧力を受けたときに位置ずれが生じなくなるように固定することができれば他の方法であってもよい。例えば、フィルム部材でケーブル束３０ｂの一部又は全部を覆うことによって固縛してもよいし、紐状部材をケーブル束３０ｂに巻き付けてラッシングしてもよい。また、樹脂等の接着剤を用いて、３本のケーブルを相互に固着してもよい。
【００４７】
また、上記巻取ドラム４４の巻き取り面４４ａには、複数の溝４４ｂが周方向に沿って形成されているが、少なくとも１つの溝が周方向に沿って形成されていてもよい。また、溝４４ｂは断面略三角形状であるが、これに限らず、ケーブル束の形状に応じて他の断面形状を有していてもよい。また、複数の溝４４ｂが巻き取り面４４ａに螺旋状に形成されてもよい。
【００４８】
また本実施形態では、ガイド管４０及び固定装置５０がマンホール１内に配置されているが、これに限らず、ガイド管４０及び固定装置５０の少なくとも１つが地上に配置されてもよい。すなわち、本発明の撤去工法におけるケーブル束にする工程及びケーブルを互いに固定する工程の少なくとも１つが地上で実行されてもよい。
【００４９】
また上記実施形態では、一の管路内に３本の電力ケーブルが布設されている場合を例に挙げて説明したが、これに限らず、本発明の複数ケーブル一括撤去工法は、複数の管路内に、複数の電力ケーブルが布設されている場合にも適用することができる。
【符号の説明】
【００５０】
１  マンホール
２  地中
３  管路
１０  車両
１１  ケーブル巻取装置
１２  引抜装置
１２ａ，１２ａ’  キャタピラ対
１３  荷台
２０  車両
２１  切断装置
２２  積載部
３０  ケーブル
３０ａ  ケーブル
３０ｂ  ケーブル束
３０ｃ  ケーブル束
４０  ガイド管
４０ａ  内周面
４１  支持台
４２  軸部材
４３，４３  一対の枠体
４４  巻取ドラム
４４ａ  巻き取り面
４４ｂ  溝
５０  固定装置
５１  テープ材
【図１】
2016039654.tif 000003
【図２】
2016039654.tif 000004
【図３】
2016039654.tif 000005
【図４】
2016039654.tif 000006
【図５】
2016039654.tif 000007